(57)【要約】【課題】複数台の予約録画登録装置が記録再生装置に接続される場合、どの番組がどの予約録画登録装置によって録画されたのかを判別できないため、特定の予約録画登録装置によって予約録画された番組のみの再生・消去・ダビングを行うといったことができないという問題が生じる。【解決手段】記録再生装置の記録メディアにある管理情報に番組情報を予約情報送信装置が持つＩＤも管理情報に書き込むことによって、どの番組がどの予約録画登録装置によって録画されたのかを特定する。【選択図】図１
2005328330.tif 000002
【特許請求の範囲】
【請求項１】
予約情報送信装置は、録画予約の情報を作成する予約情報作成手段と、前記予約情報作成手段で作成した予約情報を送信する予約情報送信手段と、前記予約情報送信装置のＩＤを送信する予約情報送信装置ＩＤ送信手段とを備え、記録再生装置は、予約情報を受信する予約情報受信手段と、前記予約情報受信手段が受信した予約情報を予約リストに登録する予約情報登録手段と、前記予約情報登録手段によって登録された予約情報を元に番組を録画する予約番組録画手段と、予約情報送信装置ＩＤを受信する予約情報送信装置ＩＤ受信手段と、前記予約番組録画手段で録画した番組の管理情報に前記予約情報送信装置ＩＤを書き込んだ管理情報を作成する管理情報作成手段と、前記管理情報作成手段で作成した管理情報を記録メディアに書き込む管理情報更新手段を備え、前記記録再生装置が前記予約情報送信装置から送られてくる予約情報を元に番組を録画する際に、前記記録メディアに作成される番組の管理情報に前記予約情報送信装置のＩＤを書き込むことを特徴とする記録再生システム。
【請求項２】
ダビング元記録再生装置は、番組データと管理情報が記録されている記録メディアと、前記記録メディアに記録されている番組の管理情報を送信するために作成する番組管理情報作成手段と、前記番組管理情報作成手段で作成された管理情報を送信する番組管理情報送信手段と、前記記録メディアに記録されている番組データを送信する番組データ送信手段と、ダビング元装置のＩＤを送信するダビング元装置ＩＤ送信手段とを備え、ダビング先記録再生装置は、番組データと管理情報を記録する記録メディアと、番組データを受信する番組データ受信手段と、前記番組データが受信した番組データを前記記録メディアに記録する番組データ記録手段と、番組管理情報を受信する番組管理情報受信手段と、ダビング元記録再生装置ＩＤを受信するダビング元記録再生装置ＩＤ受信手段と、前記番組管理情報受信手段が受信した番組管理情報に前記ダビング元記録再生装置ＩＤ受信手段が受信したダビング元記録再生装置ＩＤを書き込む管理情報作成手段と、前記管理情報作成手段が作成した管理情報を前記記録メディアに書き込む管理情報更新手段とを備え、前記ダビング先記録再生装置が前記ダビング元記録再生装置から送られてくる番組データを前記記録メディアに記録する際に、作成される番組の管理情報にダビング元記録再生装置のＩＤを書き込むことを特徴とする記録再生システム。
【請求項３】
請求項１に記載の記録再生装置はリモコンによる録画開始手段を備え、リモコンのＩＤを記録番組の管理情報に書き込むことを特徴とする請求項１に記載の記録再生システム。
【請求項４】
予約登録された番組を録画する際に、前記予約情報送信装置のＩＤに対応したフォルダに番組を記録することを特徴とする請求項１に記載の記録再生システム。
【請求項５】
番組をダビングする際に、前記ダビング元記録再生装置のＩＤを複数回書き込むことによって番組がダビングされてきた履歴を記録することを特徴とする請求項２に記載の記録再生システム。
【請求項６】
番組をダビングする際に、前記ダビング元記録再生装置のＩＤに対応したフォルダに番組を記録することを特徴とする請求項２に記載の記録再生システム。
【請求項７】
予約登録された番組を録画する際に、前記予約情報送信装置のＩＤに対応したプレイリストに番組を記録することを特徴とする請求項１に記載の記録再生システム。
【請求項８】
番組をダビングする際に、前記ダビング元記録再生装置のＩＤに対応したプレイリストに番組を登録することを特徴とする請求項２に記載の記録再生システム。
【請求項９】
リモコンを用いて番組を録画する際に、前記リモコンのＩＤに対応したプレイリストに番組を登録することを特徴とする請求項３に記載の記録再生システム。
【発明の詳細な説明】
【技術分野】
【０００１】
本発明は、ネットワークを介して接続された記録再生装置と予約録画登録装置との記録再生システムに関するものである。
【背景技術】
【０００２】
近年、ネットワークを利用した家電製品が非常に多く発売されており、その中でも記録再生装置は多くの製品が発売されるとともに大きな期待を集めている。記録再生装置において、予約録画機能は非常に有用な機能であり、予約録画の登録を遠隔地からネットワークを利用して行う機能も既に発明されている（例えば、特許文献１、２参照。）。
【０００３】
しかしながら、既に発明されている上記の方法はネットワークを介して複数台の予約録画登録装置が記録再生装置に接続される場合、どの番組がどの予約録画登録装置によって録画されたのかを判別できない。したがって特定の予約録画登録装置によって予約録画された番組のみの再生・消去・ダビングを行うといったことができないという問題が生じる。
【特許文献１】特開２００１−１８４７５５号公報
【特許文献２】特開２００１−１０３４０６号公報
【発明の開示】
【発明が解決しようとする課題】
【０００４】
解決しようとする問題点は、ネットワークを介して複数の予約録画登録装置が記録再生装置に対して予約録画を登録するとき、どの番組がどの予約録画登録装置の操作によって録画されたかを特定できない点である。
【課題を解決するための手段】
【０００５】
本発明は、複数の予約録画登録装置から設定される予約情報を記録再生装置に設定する際に、同時に予約録画登録装置を特定する情報（予約録画登録装置ＩＤ）に対応した動作を記録再生装置が行うことによって、特定の予約録画登録装置によって録画された番組を特定することができることを最も主要な特徴とする。
【発明の効果】
【０００６】
本発明の記録再生システムにおける記録再生装置は、ネットワークを介して複数の予約録画登録装置が予約情報を設定する際に、予約録画登録装置ＩＤに対応した動作を行うため、特定の予約録画登録装置によって録画された番組のみの再生・消去・ダビングなどを簡単に実現できるという利点がある。
【発明を実施するための最良の形態】
【０００７】
ネットワークを介して、予約情報を設定するのと同時に予約録画登録装置ＩＤに応じた動作を記録再生装置が行うことで、複数の予約録画登録装置によって複数の番組が記録再生装置に記録されたとき、特定の予約録画登録装置の操作によって録画された番組だけを特定することを実現した。
【０００８】
（実施の形態１）
図１は、本発明システムの実施の形態１であって、１の記録再生装置は、２のネットワークインターフェイスと、３の予約情報受信手段と、４の予約情報登録手段と、５の予約情報送信装置ＩＤ受信手段と、６の予約番組録画手段と、７の管理情報作成手段と、８の管理情報更新手段と、９の記録メディアとで構成される。また、１０の予約情報送信装置は、１１のネットワークインターフェイスと、１２の予約情報作成手段と、１３の予約情報送信手段、１４の予約情報送信装置ＩＤ送信手段とで構成される。
【０００９】
ユーザーが予約情報送信装置を用いて、記録再生装置に予約情報を登録するときの動作について述べる。ユーザーは予約情報登録装置の予約情報作成手段を用いて予約情報を作成し、作成された予約情報は予約情報送信手段を用いてネットワークインターフェイスに送られる。同時に予約情報送信装置ＩＤ送信手段によって予約情報送信装置ＩＤもネットワークインターフェイスに送られる。ネットワークインターフェイスに送られてきた予約情報と予約情報登録装置ＩＤはネットワーク（ＬＡＮ、ＷＡＮ）を介して記録再生装置のネットワークインターフェイスに送られる。記録再生装置は送られてきた予約情報を予約情報受信手段で受信し、予約情報登録手段によって予約情報として登録される。また同時に予約情報送信装置ＩＤ受信手段によって予約情報送信装置ＩＤが受信される。
【００１０】
録画予約が実行されるときは、予約番組録画手段が番組の録画を行い、録画が終了すると管理情報作成手段が作成した番組の管理情報に予約情報送信装置ＩＤを付与した管理情報を管理情報更新手段が記録メディアの管理情報に書き込む。
【００１１】
記録再生装置が複数の予約情報送信装置から予約情報を登録されるときに、どの番組がどの予約情報送信装置によって録画されたかが容易に判断できるため、特定の予約情報送信装置によって作成された番組の再生・ダビング・消去を容易に実現することができる。
【００１２】
この発明は、どの番組がどの予約情報登録装置によって録画されたかが容易に判別できるため、ネットワークを介して接続された予約情報再生装置・記録再生装置の使い易さの向上におおいに役立つ。
【００１３】
なお、本発明において予約情報送信装置がネットワーク（ＬＡＮ、ＷＡＮ）を介して記録再生装置と接続されているとしたが、個別リモコンのように複数の予約情報送信装置に記録再生装置が対応している場合はネットワーク（ＬＡＮ、ＷＡＮ）を介さなくても同様の効果を得ることができる。
【００１４】
また、本発明では予約情報送信装置を特定するために予約情報送信装置ＩＤを記録再生装置の管理情報に書き込むとしたが、予約情報送信装置と１対１で対応したＩＤを記録再生装置の管理情報に書き込む方法や、予約情報送信装置と１対１で対応したフォルダに番組を作成する方法や、予約情報送信装置と１対１で対応したプレイリストに番組を登録する方法でも同様の効果を得ることができる。
【００１５】
（実施の形態２）
図２は、本発明システムの実施の形態２であって、１５のダビング先記録再生装置は、２のネットワークインターフェイスと、７の管理情報作成手段と、８の管理情報更新手段と、９の記録メディアと、１６の番組データ受信手段と、１７の番組管理情報受信手段と、１８のダビング元装置ＩＤ受信手段と、１９の番組データ記録手段とで構成される。また、２０のダビング元記録再生装置は、１１のネットワークインターフェイスと、２１の記録メディアと、２２の番組管理情報作成手段と、２３の番組管理情報送信手段と、２４の番組データ送信手段と、２５のダビング元装置ＩＤ送信手段で構成される。
【００１６】
ダビング元記録再生装置の記録メディアが持つ番組をネットワーク（ＬＡＮ、ＷＡＮ）を介して、ダビング先記録再生装置の記録メディアに記録させる場合について述べる。ダビング元の記録メディアにある番組の管理情報は番組管理情報作成手段によって作成され、番組管理情報送信手段によってネットワークインターフェイスに送られる。また記録メディアに記録されている番組データは番組データ送信手段によってネットワークインターフェイスに送られる。このとき、ダビング元装置ＩＤ送信手段によってダビング元装置ＩＤがネットワークインターフェイスに送られる。
【００１７】
ダビング先記録再生装置の動作は、ネットワークインターフェイスを介して番組データを番組データ受信手段が受信し、番組管理情報を番組管理情報受信手段が受信し、ダビング元装置ＩＤ受信手段がダビング元装置ＩＤを受信する。受信された番組データは番組データ記録手段によって記録メディアに記録され、番組管理情報とダビング元装置ＩＤは管理情報作成手段によって管理情報として作成され、管理情報更新手段によって記録メディアに書き込む。
【００１８】
ダビング先記録再生装置の記録メディアに複数のダビング元記録再生装置からの番組がダビングされるときに、どの番組がどのダビング元記録再生装置の記録メディアにあったかが容易に判断できるため、特定のダビング元記録再生装置によって作成された番組の再生・ダビング・消去を容易に実現することができる。
【００１９】
この発明は、ダビング先記録再生装置のどの番組がどのダビング元記録再生装置によって作成されたかが容易に判別できるため、ネットワークを介して接続された記録再生装置の使い易さの向上におおいに役立つ。
【００２０】
なお、本発明ではダビング元記録再生装置を特定するためにダビング元記録再生装置ＩＤをダビング先記録再生装置の管理情報に書き込むとしたが、複数のダビング元記録再生装置のＩＤをダビング先記録再生装置の管理情報に書き込むことによって、番組がダビングされてきた履歴を知ることができる。
【００２１】
また、本発明ではダビング元記録再生装置を特定するためにダビング元記録再生装置ＩＤをダビング先記録再生装置の管理情報に書き込むとしたが、ダビング元記録再生装置と１対１で対応したＩＤをダビング先記録再生装置の管理情報に書き込む方法や、ダビング元記録再生装置と１対１で対応したフォルダに番組を作成する方法や、ダビング元記録再生装置と１対１で対応したプレイリストに番組を登録する方法でも同様の効果を得ることができる。
【００２２】
なお、実施の形態１、２では、ネットワークを介して接続された複数の装置による記録再生システムについて説明したが、本発明ではネットワーク介さずとも同様の効果を得ることができる。
【産業上の利用可能性】
【００２３】
本発明にかかる記録再生システムは、ネットワークを介して番組を予約録画際に、同時に予約情報送信装置ＩＤも登録するため、ネットワーク接続可能なＡＶ機器に適用できる。
【００２４】
また本発明にかかる記録再生システムは、ネットワークを介して番組をダビングする際に、同時にダビング元記録再生装置ＩＤも登録するため、ネットワーク接続可能なＡＶ機器に適用できる。
【図面の簡単な説明】
【００２５】
【図１】本発明の実施の形態１に於ける記録再生装置・予約情報送信装置の実施方法を示した説明図
【図２】本発明の実施の形態２に於けるダビング先記録再生装置・ダビング元記録再生装置の実施方法を示した説明図
【符号の説明】
【００２６】
１    記録再生装置
２    ネットワークインターフェイス
３    予約情報受信手段
４    予約情報登録手段
５    予約情報送信装置ＩＤ受信手段
６    予約番組録画手段
７    管理情報作成手段
８    管理情報更新手段
９    記録メディア
１０    予約情報送信装置
１１    ネットワークインターフェイス
１２    予約情報作成手段
１３    予約情報送信手段
１４    予約情報送信装置ＩＤ送信手段
１５    ダビング先記録再生装置
１６    番組データ受信手段
１７    番組管理情報受信手段
１８    ダビング元装置ＩＤ受信手段
１９    番組データ記録手段
２０    ダビング元記録再生装置
２１    記録メディア番組情報作成手段
２２    番組管理情報作成手段
２３    番組管理情報送信手段
２４    番組データ送信手段
２５    ダビング元装置ＩＤ送信手段
【図１】
2005328330.tif 000003
【図２】
2005328330.tif 000004